(57)【要約】【課題】針状電極および筒状電極を備えたイオン発生装置において、その保守点検や清掃などのための分解・組立て作業を安全に行い得るようにすること。【解決手段】イオン発生装置１の針状電極２には高圧トランス４から高電圧が印加される。高圧トランス４の給電回路５の給電ラインには、メインスイッチ７と共に、筒状電極装着部８に着脱可能に装着された筒状電極３とが介挿されている。メインスイッチ７を切り忘れても、筒状電極３を筒状電極装着部８から引き出すと、給電回路５が遮断する。針状電極２に高電圧が印加された状態で、内部の清掃や保守点検作業が行われることがない。よって、作業を安全に行うことができる。【選択図】      図１
2004362839.tif 000002
【特許請求の範囲】
【請求項１】
対向配置した針状電極および筒状電極と、
前記筒状電極が取り外し可能な状態で装着されている筒状電極装着部と、
前記針状電極に高電圧を印加するための高圧トランスと、
前記高圧トランスの給電回路とを有し、
前記筒状電極装着部から前記筒状電極を取り外すと、前記給電回路が遮断されるイオン発生装置。
【請求項２】
請求項１において、
前記給電回路は、相互に離れた状態で前記筒状電極装着部に配置した第１および第２の端子を備え、
前記筒状電極装着部に前記筒状電極が装着された状態では、当該筒状電極を介して前記第１および第２の端子が導通状態になるイオン発生装置。
【請求項３】
請求項２において、
前記筒状電極の少なくとも一部を覆う状態で、当該筒状電極に取り付けた非導電性の筒状電極カバーを有しているイオン発生装置。
【請求項４】
隣接配置されている遊技台で使用する遊技媒体の貸し出しを行う遊技台用台間機において、
請求項１ないし３のうちのいずれかの項に記載のイオン発生装置を有している遊技台用台間機。
【発明の詳細な説明】
【０００１】
【発明の属する技術分野】
本発明は、対向配置された針状電極および筒状電極の間にコロナ放電を発生させてマイナスイオンを大気中に放出するイオン発生装置に関し、特に、保守点検のための分解作業や清掃作業を安全に行い得るように構成されたイオン発生装置に関するものである。
【０００２】
【従来の技術】
イオン発生装置としては、針状電極と大気との間にコロナ放電を発生させることによりマイナスイオンを大気中に放出する構成のものが知られており、例えば、下記の特許文献１、２に開示されている。また、対向配置した針状電極と筒状電極を備えたイオン発生装置も知られており、例えば、本願人による特願２００２−２９２１５１号の明細書、図面に開示されている。この構成のイオン発生装置では、針状電極に高圧トランスによって放電開始電圧以上の高電圧（一般には数キロボルト）を印加し、この針状電極の針先と筒状電極の間にコロナ放電を発生させ、これにより発生したマイナスイオンを筒状電極の手前側のイオン放出用開口部から放出する構造となっている。
【０００３】
コロナ放電方式によるイオン発生装置では、長期使用により、電極部分に汚れが付着して当初の性能を発揮できなくなる。特に、筒状電極の内周面には大気中の塵や埃が堆積しやすい。従って、定期的にイオン発生装置を分解して筒状電極を取り出してそれを清掃する必要がある。
【０００４】
【特許文献１】
特開２００２−４５６８５号公報
【特許文献２】
実用新案登録第３０６６７９３号公報
【０００５】
【発明が解決しようとする課題】
針状電極および筒状電極を備えたイオン発生装置においては、筒状電極の清掃や保守点検に当たっては、メインスイッチを切って針状電極への高圧電流を遮断する。しかる後に、イオン発生装置を分解して筒状電極を取り外して、筒状電極の清掃などを行う。
【０００６】
筒状電極を取り外すと、その奥に配置されている針状電極が露出状態になる。このため、電源を切り忘れたまま筒状電極の取り外し作業や清掃後の組み付け作業を行うと、指などが針状電極の針先に接近あるいは当たり、感電するので極めて危険である。
【０００７】
本発明の課題は、この点に鑑みて、電源を切り忘れたままで筒状電極を取り外した場合における安全性を確保可能なイオン発生装置を提案することにある。
【０００８】
【課題を解決するための手段】
上記の課題を解決するために、本発明のイオン発生装置は、
対向配置した針状電極および筒状電極と、
前記筒状電極が取り外し可能な状態で装着されている筒状電極装着部と、
前記針状電極に高電圧を印加するための高圧トランスと、
前記高圧トランスの給電回路とを有し、
前記筒状電極装着部から前記筒状電極を取り外すと、前記給電回路が遮断されることを特徴としている。
【０００９】
例えば、前記給電回路は、相互に離れた状態で前記筒状電極装着部に配置した第１および第２の端子を備え、前記筒状電極装着部に前記筒状電極が装着された状態では、当該筒状電極を介して前記第１および第２の端子が導通状態になる構成を採用することができる。
【００１０】
本発明のイオン発生装置では、筒状電極を引き抜くと、筒状電極を介して形成されている給電回路が遮断される。よって、メインスイッチを切り忘れたままの状態で筒状電極が引き抜かれても、高電圧が印加された状態の針状電極が露出することがない。よって、筒状電極の清掃時や保守点検時における筒状電極の着脱作業において、高電圧が印加されたままの針状電極に指先が触れて感電するといった危険性を回避できる。
【００１１】
ここで、メインスイッチの切り忘れ状態での筒状電極の引き抜き時の危険性を回避するためには、前記筒状電極の少なくとも一部を覆う状態で、当該筒状電極に非導電性の筒状電極カバーを取り付けておくことが望ましい。筒状電極カバーを把持して筒状電極を引き抜けば感電などの危険が無い。
【００１２】
次に、本発明のイオン発生装置は、遊技店における遊技媒体の貸し出しを行う遊技台用台間機に組み込むのに適している。
【００１３】
すなわち、遊技店においては遊技者の喫煙率が高いなどの理由により、遊技店内に設置されるイオン発生装置の電極部分は汚れ易いので、頻繁に清掃などの作業が必要になる。したがって、電源を切り忘れたままで筒状電極が引き抜かれる可能性が高くなるので、本発明のような筒状電極自体を回路遮断スイッチとして機能させる構成のイオン発生装置を用いることが安全面から望ましい。
【００１４】
また、遊技店においては狭いスペースに多数の遊技台が設置され、イオン発生装置を独立して設置するスペースを確保できない場合がある。よって、遊技媒体の貸し出しを行う遊技台用台間機に、イオン発生装置を組み込めば、設置スペースを確保できないという問題を解消できるので好ましい。
【００１５】
【発明の実施の形態】
以下に、図面を参照して、本発明を適用したイオン発生装置の実施の形態を説明する。
【００１６】
図１（ａ）および（ｂ）は、本発明を適用したイオン発生装置の給電回路を示す概略ブロック図である。イオン発生装置１は、同軸状態で対向配置された針状電極２および筒状電極３とを有しており、針状電極２に対しては高圧トランス４の二次側から高電圧が印加される。高圧トランス４の一次側には、給電回路５を介して電源６から電源電圧が供給される。給電回路５にはメインスイッチ７が挿入されている。
【００１７】
給電回路５は、物理的に離れている電源側の端子Ａと高圧トランス側の端子Ｂとを備えており、これらの間の電気的導通が、これらに接触している筒状電極３によって形成可能となっている。すなわち、筒状電極３は一点鎖線の枠で示す筒状電極装着部８に取り外し可能な状態で装着されており、端子Ａ、Ｂはこの筒状電極装着部８に配置されている。筒状電極３を装着すると、これらの端子Ａ、Ｂが筒状電極３を介して導通し、筒状電極３を引き抜くと、これらの端子Ａ、Ｂの間の導通が遮断される。
【００１８】
したがって、図１（ｂ）に示すようにメインスイッチ７がオン状態のままであっても、筒状電極３を引き抜くと、高圧トランス４の給電回路５が遮断される。よって、針状電極２は、高電圧が印加されたままで、指先などが接触可能な露出状態になることが無いので、筒状電極などの清掃、保守点検を安全に行うことができる。
【００１９】
次に、図２はイオン発生装置１の機械的構成を示す概略横断面図であり、図３は筒状電極３を引き抜いた状態におけるイオン発生装置１の機械的構成を示す斜視図であり、図４はその分解斜視図である。これらの図を参照して説明すると、イオン発生装置１は、全体としてＬ形に折り曲げられたブラケット１１を有し、このブラケット１１の前面左端の部分に針状電極カバー１２が取り付けられ、この針状電極カバー１２の前側には、板ばね製のホルダ１３および装置ケース１４が取り付けられ、この装置ケース１４の前面に筒状電極装着部８としての円形開口部１５が形成され、ここに前方から円筒状の筒状電極３が差し込まれている。
【００２０】
ブラケット１１に取り付けられた針状電極カバー１２の裏面側の部分は、ブラケット１１の裏面側に取り付けたエンドカバー１６によって覆われている。さらに、ブラケット１１の前面右側の部分には、回路基板１７に取り付けられた高圧トランス１８がバンド１９によって固定されている。
【００２１】
ここで、筒状電極３の前側外周面部分を覆う状態に、非導電性素材からなる円筒状の筒状電極カバー９が同軸状態で取り付けられている。この筒状電極カバー９の前端開口部９ａがイオン放出口である。
【００２２】
次に、針状電極２はその後側部分が円筒状の圧着端子２１に圧入固定されている。圧着端子２１から前方に突出している針状電極２の前側部分は、針状電極カバー１２の前面から前方に延びている円筒部１２ａに、後側から装着されている。この円筒部１２ａによって針状電極２の針先部分２ａの外周部分が覆われており、清掃時などに手先などが直接に当たらないようになっている。高圧トランス１８の側面からは給電ケーブル２２が引き出されて、圧着端子２１の外周面に巻き付けられ、ここに固定されている。
【００２３】
装置ケース１４に形成した円形開口部１５は針状電極２の前方位置において同軸状態に形成された開口であり、この円形開口部１５には導電性の板ばねからなる左右一対の端子Ａ、Ｂが取り付けられている。端子Ａ、Ｂは、円形開口部１５の前縁部分において１８０度の角度位置に取り付けられており、その円形開口部１５の内周端面１５ａから内方に山形状に突出している接点板部分２３Ａ、２３Ｂを備えている。接点板部分２３Ａ、２３Ｂの間隔は、円筒状電極３の外径よりも狭いので、これらの間に差し込まれた円筒状電極３の外周面に対して各接点Ａ、Ｂは所定の弾性力によって確実に接触した状態に保持される。
【００２４】
また、円形開口部１５の内周縁部分には一対の円弧状係合突起１５ｂ、１５ｃが形成されており、筒状電極カバー９の後端縁には、これらの円弧状係合突起１５ｂ、１５ｃの背面側に円周方向から係合可能な一対の係合部９ｂ、９ｃが形成されている。円弧状係合突起１５ｂ、１５ｃに干渉しないように、筒状電極カバー９を円形開口部１５に前方から差し込み、しかる後に、筒状電極カバー９を回せば、円弧状係合突起１５ｂ、１５ｃの背面側に係合部９ｂ、９ｃが係合する。また、各係合部９ｂ、９ｃは、板ばねからなるホルダ１３を外方に押し広げるので、当該ホルダ１３によって把持された状態になる。よって、筒状電極３が取り付けられている筒状電極カバー９はがたつきなく円形開口部１５に装着できる。
【００２５】
このように構成した本実施の形態に係るイオン発生装置１において、長期使用によって筒状電極３の内周面に塵などが堆積した場合には、清掃のために、当該筒状電極３が取り付けられている筒状電極カバー９を円形開口部１５から取り外し、しかる後に筒状電極３を筒状電極カバー９から取り外す。
【００２６】
筒状電極３が筒状電極カバー９と共に取り外されると、端子Ａ、Ｂの間の電気的導通が遮断される（図１参照）。よって、メインスイッチ７を切り忘れて、針状電極２に高電圧が印加された状態であったとしても、筒状電極３が給電回路５の遮断スイッチとして機能して、針状電極２への給電が遮断される。この結果、メインスイッチ７の切り忘れにより、清掃や保守点検時に、指先が針状電極２の針先部分に接近して感電するという危険を未然に防止できる。
【００２７】
また、筒状電極３には非導電性の筒状電極カバー９が取り付けられ、ここを持って、筒状電極３の着脱が行われる。よって、筒状電極３の着脱も安全に行うことができる。
【００２８】
さらには、針状電極２の針先部分２ａは筒状部１２ａによって覆われており、その針先は筒状部１２ａの先端から突出していない。よって、筒状電極３の取り外し・取付作業などにおいて、指先などが針状電極２の針先に当たり怪我をすることを防止できるので、作業の安全性を確保できる。
【００２９】
次に、図５は、上記構成のイオン発生装置１が組み込まれた遊技台用台間機の例を示す外観斜視図である。遊技台用台間機３０は、遊技店においてパチンコ台などの遊技台４０に隣接配置されており、全体として縦長の扁平な直方体形状をしている。遊技台用台間機３０は、一般に、不図示の遊技島構成枠に取り付けたホルダ３１と、このホルダ３１に前方から着脱可能に差し込まれている台間機本体３２から構成されている。ホルダ３１は縦枠３１ａと、この上下の端から前方に水平に延びている上枠３１ｂ、３１ｃとを備えている。台間機本体３２の内部には遊技媒体の貸し出し処理制御を行う制御器、カードリーダライタ、電源ユニットなどが配置されている。また、台間機本体３２の前面には、動作状態を表示するための表示ランプ３３、カード挿入口３４、操作部３５などが配置されている。さらに、台間機本体３２を引き出すために指掛け用突起３６、３７も取り付けられている。
【００３０】
これに加えて、台間機本体３２にはイオン発生装置１が組み込まれており、その前面パネル３８からは、筒状電極カバー９の前端部分が前方に突出している。筒状電極カバー９の前端開口９ａからイオンの放出が行われる。
【００３１】
遊技店においては遊技者の喫煙率が高いなどの理由により、遊技店内に設置されるイオン発生装置１の電極部分は汚れ易いので、頻繁に清掃などの作業が必要になる。したがって、電源を切り忘れたままで筒状電極３が引き抜かれる可能性が高くなるが、本発明によるイオン発生装置１では、筒状電極３自体を回路遮断スイッチとして利用しているので、極めて安全である。
【００３２】
また、遊技店においては狭いスペースに多数の遊技台４０が設置され、イオン発生装置１を独立して設置するスペースを確保できない場合がある。よって、遊技媒体の貸し出しを行う遊技台用台間機３０に、イオン発生装置１を組み込めば、設置スペースを確保できないという問題を解消できるので好ましい。
【００３３】
【発明の効果】
以上説明したように、本発明のイオン発生装置においては、その筒状電極を、給電回路の遮断スイッチとして機能させるようにしている。したがって、給電回路のメインスイッチの切り忘れが発生しても、筒状電極を引き抜くと、針状電極に対する給電が遮断される。よって、筒状電極などの清掃、保守点検作業を安全に行うことができる。
【図面の簡単な説明】
【図１】（ａ）および（ｂ）は、本発明を適用したイオン発生装置の給電回路を示す概略ブロック図である。
【図２】イオン発生装置の機械的構成を示す概略横断面図である。
【図３】筒状電極を引き抜いた状態におけるイオン発生装置の機械的構成を示す斜視図である。
【図４】図３のイオン発生装置の分解斜視図である。
【図５】本発明のイオン発生装置が組み込まれた遊技台用台間機を、隣接配置されている遊技台と共に示す斜視図である。
【符号の説明】
１    イオン発生装置
２    針状電極
３    筒状電極
４    高圧トランス
５    給電回路
６    電源
７    メインスイッチ
８    筒状電極装着部
Ａ、Ｂ  端子
９    筒状電極カバー
３０  遊技台用台間機
３１  ホルダ
３２  台間機本体
３８  前面パネル
４０  遊技台
【図１】
2004362839.tif 000003
【図２】
2004362839.tif 000004
【図３】
2004362839.tif 000005
【図４】
2004362839.tif 000006
【図５】
2004362839.tif 000007